(57)【要約】【課題】洗浄排水の処理コストを低減することができ、大きな排水処理設備を必要としない浮遊粒子状物質除去装置を提供する。【解決手段】浮遊粒子状物質除去装置１内に洗浄液タンク８と噴霧手段９を設け、噴霧手段から洗浄液７を噴霧することによって捕集部３を洗浄し、発生した洗浄排水１７をドレンパン１１で第一の洗浄排水貯留槽１３に集め貯留し、汚れ成分を層分離した後に層分離した洗浄液を洗浄液付着体２２に付着させ、かきとり部２３でかきとることで、洗浄液７を再生し、再生洗浄液２５を洗浄に繰り返し利用する構成とした。【選択図】図１
2009160523.tif 000002
【特許請求の範囲】
【請求項１】
空気中の浮遊粒子状物質を捕集する捕集部と、前記捕集部へ浮遊粒子状物質を含んだ空気を流入させる送風手段と、前記捕集部に付着した前記浮遊粒子状物質を洗浄するための洗浄手段と、前記洗浄手段は洗浄液を噴霧する噴霧手段と前記洗浄液を貯蔵する洗浄液タンクと前記噴霧手段に前記洗浄液を送液する送液手段と、前記洗浄手段によって発生した洗浄排水を排出する排水管と、前記排水管は二つ以上に分岐しており分岐した排水管はそれぞれに開閉自在な開閉手段と前記分岐した排水管それぞれに独立した排水回収タンクが接続されており、前記排水回収タンクの少なくともひとつに洗浄液再生手段と前記洗浄液再生手段によって再生された再生洗浄液を貯留する再生洗浄液貯留槽を備えたことを特徴とする浮遊粒子状物質除去装置。
【請求項２】
洗浄排水が前記洗浄排水貯留槽内で層分離した後、下層の洗浄液を前記洗浄排水の上方に汲み上げることを特徴とした洗浄液再生手段を備えたことを特徴とする請求項１に記載の浮遊粒子状物質除去装置。
【請求項３】
洗浄液再生手段が洗浄液を付着する洗浄液付着体と前記洗浄液付着体に付着した洗浄液をかきとるかきとり部を備え、前記洗浄液付着体を前記下層の洗浄液に漬込んだ後前記洗浄液付着体を前記洗浄排水の上方に引き上げ、前記洗浄液付着体に付着した洗浄液を前記かきとり部でかきとることによって洗浄液を再生することを特徴とした請求項１または２に記載の浮遊粒子状物質除去装置。
【請求項４】
洗浄液再生手段が洗浄液付着体を回転運動させる回転手段を備え、前記回転手段が前記洗浄液付着体の前記洗浄排水への漬込み動作と引き上げ動作を連続的に繰り返し行うことを特徴とした請求項１〜３のいずれかに記載の浮遊粒子状物質除去装置。
【請求項５】
再生洗浄液貯留槽が前記洗浄排水貯留槽よりも上方に設置されていることを特徴とする請求項１〜４のいずれかに記載の浮遊粒子状物質除去装置。
【請求項６】
再生洗浄液貯留槽と洗浄液タンクと連通する回収管を備え、前記再生洗浄液を洗浄液タンクに回収する回収ポンプを前記回収管に備えたことを特徴とする請求項１〜５のいずれかに記載の浮遊粒子状物質除去装置。
【請求項７】
洗浄液タンクにノニオン性界面活性剤を主成分とするの洗浄液を含有させたことを特徴とする請求項１〜６のいずれかに記載の浮遊粒子状物質除去装置。
【請求項８】
洗浄液タンクに前記洗浄排水を加熱する加熱手段を備えたことを特徴とする請求項１〜７のいずれかに記載の浮遊粒子状物質除去装置。
【請求項９】
洗浄液濃度を１０％〜１００％の濃度で使用することを特徴とする請求項１〜８のいずれかに記載の浮遊粒子状物質除去装置。
【請求項１０】
洗浄排水貯留槽に前記洗浄排水が貯留された後、遅れて洗浄液再生手段を作動させるタイマーを備えたことを特徴とする請求項１〜９のいずれかに記載の浮遊粒子状物質除去装置。
【請求項１１】
洗浄手段で前記捕集部を洗浄する直前に前記洗浄液再生手段を作動させることを特徴とする請求項１〜１０のいずれかに記載の浮遊粒子状物質除去装置。
【請求項１２】
洗浄排水貯留槽の底部の一部が前記回転体の回転軸に対して同心面であることを特徴とした請求項１〜１１のいずれかに記載の浮遊粒子状物質除去装置。
【請求項１３】
洗浄排水貯留槽の水平断面積が底部から上部にむけて次第に大きくなることを特徴とする請求項１〜１２のいずれかに記載の浮遊粒子状物質除去装置。
【請求項１４】
洗浄排水貯留槽の上部水平断面が曲線のみで構成されていることを特徴とする請求項１〜１３のいずれかに記載の浮遊粒子状物質除去装置。
【請求項１５】
洗浄排水貯留槽の底部に洗浄液中の沈殿物を集める沈殿物捕集部を備えたことを特徴とする請求項１〜１４のいずれかに記載の浮遊粒子状物質除去装置。
【発明の詳細な説明】
【技術分野】
【０００１】
本発明は、例えば工場内で発生する粉じんやオイルミストを除去して空気を清浄化するために用いられる浮遊粒子状物質除去装置に関するものである。
【背景技術】
【０００２】
従来、この種の浮遊粒子状物質除去装置は、捕集した粉塵やオイルミストを除去して捕集効率を維持するために捕集した粉塵やオイルミストを洗浄によって洗い落とす必要があった。発生した洗浄排水は凝集剤と反応させ凝集フロックを形成させ、さらに凝集フロックを加圧浮上させることで排水中の埃やオイルミストを汚泥として分離し、発生した汚泥に再び有機凝集剤を添加して再凝集産業廃棄物として廃棄する一方、浄化された洗浄排水を環境中に排出する方法が用いられていた。（例えば特許文献１参照）。
【０００３】
以下、そのような空気清浄機について図８参照しながら説明する。図５に示すように空気清浄機１０１には洗浄配管１０２と汚水配水管１０３が接続されており、洗浄配管１０２から加圧された水が空気清浄機１０１内に噴霧されることによって、空気清浄機１０１内部の汚れと共に汚水が汚水配水管１０３より排出され、空気清浄機１０１内が洗浄される。汚水配水管１０３から排出される汚水は一度既存の排水処理設備である汚水ピット内に蓄えられ、一定量汚水が蓄積した後、ポンプａ１０５ａより排出され排水処理される。凝集剤溶解装置１０６にて凝集剤を溶解調整し、ポンプｂ１０５ｂより凝集剤溶解液を汚水貯留槽１０７に供給することで汚水と凝集剤溶解液が混合され汚水中の汚染物質が凝集剤と共に凝集され除去される。汚水貯留槽１０７で汚染物質が凝集除去された後の浄化された汚水はポンプｃ１０５ｃより排出される。
【特許文献１】特開平１−１２７０９６号公報
【発明の開示】
【発明が解決しようとする課題】
【０００４】
しかしながら、このような従来の方法では洗浄によって発生した洗浄排水の処理を行うために凝集剤を大量に消費しなければならず、処理コストが高くなるという課題があった。また、排水処理を行うために排水を蓄積する貯留槽が必要であり、排水処理のための設備が大きくなるという課題があった。
【０００５】
本発明は、このような従来の課題を解決するものであり、浮遊粒子状物質除去装置の洗浄排水の処理コストを低減することのできる浮遊粒子状物質除去装置を提供することを目的としている。
【０００６】
また、大きな排水処理設備を必要としない浮遊粒子状物質除去装置を提供することを目的としている。
【課題を解決するための手段】
【０００７】
本発明の浮遊粒子状物質除去装置は上記目的を達成するために、空気中の浮遊粒子状物質を捕集する捕集部を備え、前記捕集部へ浮遊粒子状物質を含んだ空気を流入させる送風手段を備え、前記捕集部に付着した前記浮遊粒子状物質を洗浄するための洗浄手段を備え、前記洗浄手段は洗浄液を噴霧する噴霧手段と前記洗浄液を貯蔵する洗浄液タンクと前記噴霧手段に前記洗浄液を送液する送液手段を備え、前記洗浄手段によって発生した洗浄排水を排出する排水管を備え、前記排水管は二つ以上に分岐しており、分岐した排水管はそれぞれに開閉自在な開閉手段を備え、前記開閉手段それぞれに独立した排水回収タンクが接続されており、前記排水回収タンクの少なくともひとつに洗浄液再生手段と前記洗浄液再生手段によって再生された再生洗浄液を貯留する再生洗浄液貯留槽を備えたことを特徴とする浮遊粒子状物質除去装置としたものである。
【０００８】
これにより、洗浄に利用した洗浄液を再利用することができるようになり、排水処理コストを低減し、大きな排水処理設備が必要ない浮遊粒子状物質除去装置を提供することができるようになる。
【０００９】
また他の手段は、洗浄排水が前記洗浄排水貯留槽内で層分離した後、下層の洗浄液を前記洗浄排水の上方に汲み上げることを特徴とした洗浄液再生手段を備えたことを特徴とする請求項１に記載の浮遊粒子状物質除去装置としたものである。
【００１０】
これにより、洗浄液を少ないエネルギーで再利用することができるようになり、排水処理コストを低減し、大きな排水処理設備が必要ない浮遊粒子状物質除去装置を提供することができるようになる。
【００１１】
また他の手段は、洗浄液再生手段が洗浄液を付着する洗浄液付着体と前記洗浄液付着体に付着した洗浄液をかきとるかきとり部を備え、前記洗浄液付着体を前記下層の洗浄液に漬込んだ後前記洗浄液付着体を前記洗浄排水の上方に引き上げ、前記洗浄液付着体に付着した洗浄液を前記かきとり部でかきとることによって洗浄液を再生することを特徴とした請求項１または２に記載の浮遊粒子状物質除去装置としたものである。
【００１２】
これにより、簡単な構成で洗浄液を再生することができるようになり、再生した洗浄液の寿命を長くすることができるようになり、排水処理コストを低減し、大きな排水処理設備が必要ない浮遊粒子状物質除去装置を提供することができるようになる。
【００１３】
また他の手段は、洗浄液再生手段が洗浄液付着体を回転運動させる回転手段を備え、前記回転手段が前記洗浄液付着体の前記洗浄排水への漬込み動作と引き上げ動作を連続的に繰り返し行うことを特徴とした請求項１〜３のいずれかに記載の浮遊粒子状物質除去装置としたものである。
【００１４】
これにより、効率良く洗浄液を再生することができるようになり、洗浄液再生装手段を小型化できるようになり、大きな排水処理設備が必要ない浮遊粒子状物質除去装置を提供することができるようになる。
【００１５】
また他の手段は、再生洗浄液貯留槽が前記洗浄排水貯留槽よりも上方に設置されていることを特徴とする請求項１〜４のいずれかに記載の浮遊粒子状物質除去装置としたものである。
【００１６】
これにより、洗浄液を少ないエネルギーで再利用することができるようになり、排水処理コストを低減し、大きな排水処理設備が必要ない浮遊粒子状物質除去装置を提供することができるようになる。
【００１７】
また他の手段は、再生洗浄液貯留槽と洗浄液タンクと連通する回収管を供え、前記再生洗浄液を洗浄液タンクに回収する回収ポンプを前記回収管に備えたことを特徴とする請求項１〜５のいずれかに記載の浮遊粒子状物質除去装置としたものである。
【００１８】
これにより、再生洗浄液を簡単に再利用することができるようになり、排水処理コストを低減し、大きな排水処理設備が必要ない浮遊粒子状物質除去装置を提供することができるようになる。
【００１９】
また他の手段は、洗浄液タンクにノニオン性界面活性剤を主成分とするの洗浄液を含有させたことを特徴とする請求項１〜６のいずれかに記載の浮遊粒子状物質除去装置としたものである。
【００２０】
これにより、洗浄液と汚れ成分を効率良く分離させることができるようになり、排水処理コストを低減し、大きな排水処理設備が必要ない浮遊粒子状物質除去装置を提供することができるようになる。
【００２１】
また他の手段は、洗浄液タンクに前記洗浄排水を加熱する加熱手段を備えたことを特徴とする請求項１〜７のいずれかに記載の浮遊粒子状物質除去装置としたものである。
【００２２】
これにより、洗浄液を簡単に加温することができるようになり、洗浄液と汚れ成分を効率良く分離させることができるようになり、排水処理コストを低減し、大きな排水処理設備が必要ない浮遊粒子状物質除去装置を提供することができるようになる。
【００２３】
また他の手段は、洗浄液濃度を１０％〜１００％の濃度で使用することを特徴とする請求項１〜８のいずれかに記載の浮遊粒子状物質除去装置としたものである。
【００２４】
これにより、洗浄液の再生効率を高めることができるようになり、洗浄液の寿命を長くすることができるようになり、排水処理コストを低減し、大きな排水処理設備が必要ない浮遊粒子状物質除去装置を提供することができるようになる。
【００２５】
また他の手段は、洗浄排水貯留槽に前記洗浄排水が貯留された後、遅れて洗浄液再生手段を作動させるタイマーを備えたことを特徴とする請求項１〜９のいずれかに記載の浮遊粒子状物質除去装置としたものである。
【００２６】
これにより、エマルジョン化しやすい洗浄液も純度良く再生することができるようになり、どんな洗浄液を使用しても排水処理コストを低減し、大きな排水処理設備が必要ない浮遊粒子状物質除去装置を提供することができるようになる。
【００２７】
また他の手段は、洗浄手段で前記捕集部を洗浄する直前に前記洗浄液再生手段を作動させることを特徴とする請求項１〜１０のいずれかに記載の浮遊粒子状物質除去装置としたものである。
【００２８】
これにより、洗浄液の劣化を抑制することができるようになり、洗浄液の寿命を長くすることができるようになり、排水処理コストを低減し、大きな排水処理設備が必要ない浮遊粒子状物質除去装置を提供することができるようになる。
【００２９】
また他手段は、洗浄排水貯留槽の底部の一部が前記回転体の回転軸に対して同心面であることを特徴とした請求項１〜１１のいずれかに記載の浮遊粒子状物質除去装置としたものである。
【００３０】
これにより、再生する洗浄液の量を増やすことができるようになり、排水処理コストを低減し、大きな排水処理設備が必要ない浮遊粒子状物質除去装置を提供することができるようになる。
【００３１】
また他の手段は、洗浄排水貯留槽の水平断面積が底部から上部にむけて次第に大きくなることを特徴とする請求項１〜１２のいずれかに記載の浮遊粒子状物質除去装置としたものである。
【００３２】
これにより、洗浄液に浮上した汚れ成分が多くても純度良く洗浄液を再生することができるようになり、排水処理コストを低減し、大きな排水処理設備が必要ない浮遊粒子状物質除去装置を提供することができるようになる。
【００３３】
また他の手段は、洗浄排水貯留槽の上部水平断面が曲線のみで構成されていることを特徴とする請求項１〜１３のいずれかに記載の浮遊粒子状物質除去装置としたものである。
【００３４】
これにより、洗浄排水貯留槽内部への汚れ付着を抑制することができるようになり、長期にわたって再生する洗浄液の純度を高くすることができるようになり、排水処理コストを低減し、大きな排水処理設備が必要ない浮遊粒子状物質除去装置を提供することができるようになる。
【００３５】
また他の手段は、洗浄排水貯留槽の底部に洗浄液中の沈殿物を集める沈殿物捕集部を備えたことを特徴とする請求項１〜１４のいずれかに記載の浮遊粒子状物質除去装置としたものである。
【００３６】
これにより、洗浄液中の凝集沈殿物を簡単に除去できるようになり、再生洗浄液の純度を高めることができるようになり、排水処理コストを低減し、大きな排水処理設備が必要ない浮遊粒子状物質除去装置を提供することができるようになる。
【発明の効果】
【００３７】
本発明によれば、洗浄に利用した洗浄液を洗浄に用いた洗浄水と分離することができ、分離した洗浄液を再生し再利用することができ、排水処理コストを低減し、大きな排水処理設備が必要ないという効果のある浮遊粒子状物質除去装置を提供することができる。
【００３８】
また、洗浄液を少ないエネルギーで再利用することができ、排水処理コストを低減し、大きな排水処理設備が必要ないという効果のある浮遊粒子状物質除去装置を提供することができる。
【００３９】
また、簡単な構成で洗浄液を再生することができ、洗浄液の寿命を長くすることができ、排水処理コストを低減し、大きな排水処理設備が必要ないという効果のある浮遊粒子状物質除去装置を提供することができる。
【００４０】
また、効率良く洗浄液を再生することができ、洗浄液再生装手段を小型化でき、大きな排水処理設備が必要ないという効果のある浮遊粒子状物質除去装置を提供することができる。
【００４１】
また、洗浄液を少ないエネルギーで再利用することができ、排水処理コストを低減し、大きな排水処理設備が必要ないという効果のある浮遊粒子状物質除去装置を提供することができるようになる。
【００４２】
また、洗浄液を簡単に再利用することができ、排水処理コストを低減し、大きな排水処理設備が必要ないという効果のある浮遊粒子状物質除去装置を提供することができる。
【００４３】
また、洗浄液を純度良く再生することができるようになり、排水処理コストを低減し、大きな排水処理設備が必要ないという効果のある浮遊粒子状物質除去装置を提供することができる。
【００４４】
また、洗浄液中の汚れ成分を効率良く除去することができるようになり、排水処理コストを低減し、大きな排水処理設備が必要ないという効果のある浮遊粒子状物質除去装置を提供することができる。
【００４５】
また、洗浄液の再生効率を高めることができ、洗浄液の寿命を長くすることができ、排水処理コストを低減し、大きな排水処理設備が必要ないという効果のある浮遊粒子状物質除去装置を提供することができる。
【００４６】
また、エマルジョン化しやすい洗浄液も純度良く再生することができ、どんな洗浄液を使用しても排水処理コストを低減し、大きな排水処理設備が必要ないという効果のある浮遊粒子状物質除去装置を提供することができる。
【００４７】
また、洗浄液の劣化を抑制することができ、洗浄液の寿命を長くすることができ、排水処理コストを低減し、大きな排水処理設備が必要ないという効果のある浮遊粒子状物質除去装置を提供することができる。
【００４８】
また、再生する洗浄液の量を増やすことができ、排水処理コストを低減し、大きな排水処理設備が必要ないという効果のある浮遊粒子状物質除去装置を提供することができる。
【００４９】
また、洗浄液に浮上した汚れ成分が多くても純度良く洗浄液を再生することができ、排水処理コストを低減し、大きな排水処理設備が必要ないという効果のある浮遊粒子状物質除去装置を提供することができる。
【００５０】
また、洗浄排水貯留槽内部への汚れ付着を抑制することができ、長期にわたって再生する洗浄液の純度を高くすることができ、排水処理コストを低減し、大きな排水処理設備が必要ないという効果のある浮遊粒子状物質除去装置を提供することができる。
【００５１】
また、洗浄液中の凝集沈殿物を簡単に除去でき、再生洗浄液の純度を高めることができ、排水処理コストを低減し、大きな排水処理設備が必要ないという効果のある浮遊粒子状物質除去装置を提供することができる。
【発明を実施するための最良の形態】
【００５２】
本発明の請求項１記載の発明は、上記目的を達成するために空気中の浮遊粒子状物質を捕集する捕集部と、前記捕集部へ浮遊粒子状物質を含んだ空気を流入させる送風手段と、前記捕集部に付着した前記浮遊粒子状物質を洗浄するための洗浄手段と、前記洗浄手段は洗浄液を噴霧する噴霧手段と前記洗浄液を貯蔵する洗浄液タンクと前記噴霧手段に前記洗浄液を送液する送液手段と、前記洗浄手段によって発生した洗浄排水を排出する排水管と、前記排水管は二つ以上に分岐しており分岐した排水管はそれぞれに開閉自在な開閉手段と、前記分岐した排水管それぞれに独立した排水回収タンクが接続されており、前記排水回収タンクの少なくともひとつに洗浄液再生手段と前記洗浄液再生手段によって再生された再生洗浄液を貯留する再生洗浄液貯留槽を備えたことを特徴とする浮遊粒子状物質除去装置としたものであり、洗浄工程で発生した洗浄排水を洗浄液成分と洗浄水とに分けて回収することができるという作用を有し、わけて回収した洗浄液を再生することができるという作用を有しており、再生した洗浄液を洗浄に再利用することができるという作用を有し、洗浄液を使用するたびに排水しなくてすむという作用を有し、洗浄排水量を少なくすることができるという作用を有し、排水処理コストを低減することができ、大きな排水処理設備が必要ない浮遊粒子状物質除去装置を提供することができるという作用を有する。
【００５３】
本発明の請求項２記載の発明は、洗浄排水が前記洗浄排水貯留槽内で層分離した後、下層の洗浄液を前記洗浄排水の上方に汲み上げることを特徴とした洗浄液再生手段を備えたことを特徴とする請求項１に記載の浮遊粒子状物質除去装置としたものであり、洗浄排水貯留槽内で洗浄液と汚れ成分を層分離させることによってエネルギーを消費せずに洗浄液と汚れ成分を分離することができるという作用を有し、分離した後の洗浄液をくみ上げることで簡単に純度良く再生することができるという作用を有し、少ないエネルギーで洗浄液を再生することができるという作用を有し、排水処理コストを低減し、大きな排水処理設備が必要ない浮遊粒子状物質除去装置を提供することができるという作用を有する。
【００５４】
本発明の請求項３記載の発明は、洗浄液再生手段が洗浄液を付着する洗浄液付着体と前記洗浄液付着体に付着した洗浄液をかきとるかきとり部を備え、前記洗浄液付着体を前記下層の洗浄液に漬込んだ後前記洗浄液付着体を前記洗浄排水の上方に引き上げ、前記洗浄液付着体に付着した洗浄液を前記かきとり部でかきとることによって洗浄液を再生することを特徴とした請求項１または２に記載の浮遊粒子状物質除去装置としたものであり、洗浄液付着体に層分離した汚れ成分を付着させずに洗浄液のみを付着させることができるようになるという作用を有し、洗浄液付着体に付着した洗浄液をかきとることによって汚れ成分を排除して洗浄液を回収することができるという作用を有し、簡単な構成で洗浄液を再生することができるという作用を有し、純度良く洗浄液を再生することによって再生した洗浄液の寿命を長くすることができるという作用を有し、洗浄排水を排出することなく長期間再利用できるという作用を有し、排水処理コストを低減させ、大きな排水処理設備が必要ない浮遊粒子状物質除去装置を提供することができるという作用を有する。
【００５５】
本発明の請求項４記載の発明は、洗浄液再生手段が洗浄液付着体を回転運動させる回転手段を備え、前記回転手段が前記洗浄液付着体の前記洗浄排水への漬込み動作と引き上げ動作を連続的に繰り返し行うことを特徴とした請求項１〜３のいずれかに記載の浮遊粒子状物質除去装置としたものであり、同じ機構で連続して洗浄液を洗浄液付着体に付着させ回収できるという作用を有し、洗浄液付着体の機構部分を小型にできるという作用を有し、洗浄液再生手段を小型化できるという作用を有し、で洗浄液を再生できるという作用を有し、大きな排水処理設備が必要ない浮遊粒子状物質除去装置を提供することができるという作用を有する。
【００５６】
本発明の請求項５記載の発明は、再生洗浄液貯留槽が前記洗浄排水貯留槽よりも上方に設置されていることを特徴とする請求項１〜４のいずれかに記載の浮遊粒子状物質除去装置としたものであり、再生した洗浄液を洗浄排水貯留槽の上方に回収できるという作用を有し、上部にある洗浄液タンクに少ないエネルギーで再生した洗浄液を返送することができるという作用を有し、洗浄液を少ないエネルギーで再利用することができるという作用を有し、排水処理コストを低減し、大きな排水処理設備が必要ない浮遊粒子状物質除去装置を提供することができるという作用を有する。
【００５７】
本発明の請求項６記載の発明は、再生洗浄液貯留槽と洗浄液タンクと連通する回収管を供え、前記再生洗浄液を洗浄液タンクに回収する回収ポンプを前記回収管に備えたことを特徴とする請求項１〜５のいずれかに記載の浮遊粒子状物質除去装置としたものであり、回収管を通じて再生した洗浄液を洗浄液タンクに回収できるという作用を有し、簡単に洗浄液を再利用することができるという作用を有し、排水処理コストを低減し、大きな排水処理設備が必要ない浮遊粒子状物質除去装置を提供することができるという作用を有する。
【００５８】
本発明の請求項７記載の発明は、洗浄液タンクにノニオン性界面活性剤を主成分とするの洗浄液を含有させたことを特徴とする請求項１〜６のいずれかに記載の浮遊粒子状物質除去装置としたものであり、洗浄液中に混入した汚れ成分を分離しやすくなるという作用を有し、純度良く洗浄液を再生することができるという作用を有し、排水処理コストを低減し、大きな排水処理設備が必要ない浮遊粒子状物質除去装置を提供することができるという作用を有する。
【００５９】
本発明の請求項８記載の発明は、洗浄液タンクに前記洗浄排水を加熱する加熱手段を備えたことを特徴とする請求項１〜７のいずれかに記載の浮遊粒子状物質除去装置としたものであり、洗浄液を加熱することができるようになるという作用を有し、加熱された洗浄液が汚れ成分を分離しやすくなるという作用を有し、効率良く洗浄液と汚れ成分を分離させることができるという作用を有し、排水処理コストを低減し、大きな排水処理設備が必要ない浮遊粒子状物質除去装置を提供することができるという作用を有する。
【００６０】
本発明の請求項９記載の発明は、洗浄液濃度を１０％〜１００％の濃度で使用することを特徴とする請求項１〜８のいずれかに記載の浮遊粒子状物質除去装置としたものであり、洗浄液に混入する汚れ成分を減らすことができるという作用を有し、洗浄液の再生効率を高めることができるという作用を有し、排水処理コストを低減し、大きな排水処理設備が必要ない浮遊粒子状物質除去装置を提供することができるという作用を有する。
【００６１】
本発明の請求項１０記載の発明は、洗浄排水貯留槽に前記洗浄排水が貯留された後、遅れて洗浄液再生手段を作動させるタイマーを備えたことを特徴とする請求項１〜９のいずれかに記載の浮遊粒子状物質除去装置としたものであり、エマルジョン化した洗浄液が汚れ成分と分離した後に洗浄液再生手段を作動させることができるようになるという作用を有し、エマルジョン化しやすい洗浄液も純度良く再生することができるという作用を有し、どんな洗浄液を使用しても排水処理コストを低減し、大きな排水処理設備が必要ない浮遊粒子状物質除去装置を提供することができるという作用を有する。
【００６２】
本発明の請求項１１記載の発明は、洗浄手段で前記捕集部を洗浄する直前に前記洗浄液再生手段を作動させることを特徴とする請求項１〜１０のいずれかに記載の浮遊粒子状物質除去装置としたものであり、洗浄液と層分離して浮上している汚れ成分が洗浄液と空気との接触を抑制することができるという作用を有し、洗浄液が劣化するのを抑制することができるという作用を有し、洗浄液の寿命を長くすることができるという作用を有し、排水処理コストを低減し、大きな排水処理設備が必要ない浮遊粒子状物質除去装置を提供することができるという作用を有する。
【００６３】
本発明の請求項１２記載の発明は、洗浄排水貯留槽の底部の一部が前記回転体の回転軸に対して同心面であることを特徴とした請求項１〜１１のいずれかに記載の浮遊粒子状物質除去装置としたものであり、汚れ成分と層分離した洗浄液と洗浄液付着体が効率良く接触できるようになるという作用を有し、再生する洗浄液の量を増やすことができるという作用を有し、再生利用できる洗浄剤が増えるという作用を有し、排水処理コストを低減し、大きな排水処理設備が必要ない浮遊粒子状物質除去装置を提供することができるという作用を有する。
【００６４】
本発明の請求項１３記載の発明は、洗浄排水貯留槽の水平断面積が底部から上部にむけて次第に大きくなることを特徴とする請求項１〜１２のいずれかに記載の浮遊粒子状物質除去装置としたものであり、洗浄液から層分離した汚れ成分の層の厚さが薄くなるという作用を有し、洗浄液に浮上した汚れ成分が多くても純度良く洗浄液を再生することができるという作用を有し、排水処理コストを低減し、大きな排水処理設備が必要ない浮遊粒子状物質除去装置を提供することができるという作用を有する。
【００６５】
本発明の請求項１４記載の発明は、洗浄排水貯留槽の上部水平断面が曲線のみで構成されていることを特徴とする請求項１〜１３のいずれかに記載の浮遊粒子状物質除去装置としたものであり、洗浄排水貯留槽内の洗浄液表面に発生する流れによって洗浄排水貯留槽の内壁に付着した汚れ成分を洗い落とすことができるという作用を有し、洗浄排水貯留槽の内壁に付着した汚れ成分が肥大化することを抑制することができるという作用を有し、長期間にわたって再生する洗浄液の純度を高くすることができるという作用を有し、排水処理コストを低減し、大きな排水処理設備が必要ない浮遊粒子状物質除去装置を提供することができるという作用を有する。
【００６６】
本発明の請求項１５記載の発明は、洗浄排水貯留槽の底部に洗浄液中の沈殿物を集める沈殿物捕集部を備えたことを特徴とする請求項１〜１４のいずれかに記載の浮遊粒子状物質除去装置としたものであり、洗浄剤に混入している汚れ成分の一部である沈殿物を捕集することができるという作用を有しており、再生する洗浄液の純度を高めることができるという作用を有し、排水処理コストを低減し、大きな排水処理設備が必要ない浮遊粒子状物質除去装置を提供することができるという作用を有する。
【００６７】
（実施の形態１）
図１は本発明の実施の形態１における浮遊粒子状物質除去装置１の構成図である。
【００６８】
図１において、浮遊粒子状物質除去装置１は筐体２内に集塵部３を備え、筐体２は空気が流入する空気流入口４と空気が排出する空気排出口５を備えている。
【００６９】
筐体２としては、例えばステンレスや銅など物理的強度と薬剤耐性のある材質で成形することができる。集塵部３としては、例えば電圧を印加できる平行電極版を用いることができる。集塵するものとしては例えば空気中の粉じんやミスト状の油である。
【００７０】
浮遊粒子状物質除去装置１は空気排出口５の外側に送風手段６を備えている。送風手段６としては例えばシロッコファンを用いることができ、空気排出口５の外側に備えることが望ましいが空気流入口４の外側であってもかまわない。
【００７１】
また、集塵部３の上部には洗浄液７を溜めることのできる洗浄液タンク８と洗浄液７を集塵部３に噴霧するための噴霧手段９が備えてあり、噴霧手段９には第一のポンプ１０が備えてある。
【００７２】
洗浄液７としては、例えば界面活性剤を含んだ水系洗浄剤や、炭化水素系洗浄剤を用いることができる。洗浄液タンク８としては、例えばステンレスタンクを用いることができる。
【００７３】
噴霧手段９としては、例えばスプレーノズルなどの一流体ノズルを用いることができ、静電ノズルを用いることもできる。
【００７４】
第一のポンプ１０としては、例えばギアポンプやピストンポンプやプランジャーポンプなどを用いることができる。
【００７５】
また、集塵部３の下にはドレンパン１１が備えられており、ドレンパン１１は第一の排水管１２に接続されている。第一の排水管１２は二又に分岐しておりそれぞれ第一の洗浄排水貯留槽１３と第二の洗浄排水貯留槽１４に接続されている。
【００７６】
第一の洗浄排水貯留槽１３に接続されている第一の排水管１２には第一の開閉手段１５が備えられており、第二の洗浄排水貯留槽１４に接続されている第一の排水管１２には第二の開閉手段１６が備えられている。
【００７７】
ドレンパン１１としては、例えばステンレスで成形することができ、第一の洗浄排水貯留槽１３と第二の洗浄排水貯留槽１４としては、例えばステンレスや樹脂で成形することができる。
【００７８】
第一の洗浄排水貯留槽１３には汚れ成分の多い洗浄排水１７が貯留され、第二の洗浄排水貯留槽１４には汚れ成分の少ない洗浄排水１７が貯留される。第一の洗浄排水貯留槽１３には、貯留された洗浄排水１７に接するように洗浄液再生手段２０が備えてある。
【００７９】
洗浄液再生手段２０はモーター２１と洗浄液付着体２２とかきとり部２３とを備えてある。モーター２１は洗浄液付着体２２に接続されており、かきとり部２３は洗浄液付着体２２に接触するように配置されている。モーター２１としては、例えばＡＣモーターを用いることができ、洗浄液付着体２２としては、例えばステンレスの円板を用いることができ、かきとり部２３としては例えばポリプロピレンなどの樹脂板を用いることができる。
【００８０】
また、第一の洗浄排水貯留槽１３よりも上方に再生洗浄液貯留槽２４を備えてあり、再生洗浄液貯留槽２４はかきとり部２３に接続するように配置されており、内部には再生洗浄液２５が貯留される。再生洗浄液貯留槽２４には回収管２６が連通されており、回収管２６は洗浄液タンク８に接続されており、第二のポンプ２７が備えられている。
【００８１】
再生洗浄液貯留槽２４としては、例えばステンレスや樹脂で成形することができる。再生洗浄液２５としては、例えば洗浄後の洗浄液成分から油や塵埃などの汚れ成分を取り除いたあとの洗浄液のことである。回収管２６としては、例えばステンレスや樹脂で成形された管を用いることができる。
【００８２】
また、浮遊粒子状物質除去装置１は制御手段２８を備えており、制御手段２８は、送風手段６と第一のポンプ１０と第一の開閉手段１５と第二の開閉手段１６とモーター２１と第二のポンプ２７に配線されている。制御手段２８としては、例えば制御プログラムの入力されたマイコンを用いることができる。
【００８３】
上記構成において、オイルミストや塵埃などを含んだ空気が空気流入口４から浮遊粒子状物質除去装置１内に流入し、集塵部３にオイルミストや塵埃などが付着し捕捉され、浄化された空気が空気流出口５から排出される。
【００８４】
捕集部３に捕捉される油や塵埃が蓄積すると、変質硬化し捕集部３の空気が流れる場所が閉塞し、圧損が増すだけでなく、オイルミストや塵埃の捕集効率低下を招くが、洗浄操作により捕集された油や塵埃の蓄積を防止することによって捕集効率を高く維持できる。
【００８５】
集塵部３をより清浄にするため、噴霧手段９から複数回に分けて噴霧し洗浄することができる。複数回に分けて洗浄液７を噴霧した場合、一回目の噴霧によって集塵部３に付着した汚れの大半を洗い流し、２回目の以降の噴霧によって残ったわずかの汚れを完全に洗い流すことによって清浄度を高めることができる。
【００８６】
複数回に分けて回収される洗浄排水１７に含まれる汚れの量は１回目が最も多く、２回目以降は汚れの量が少なくなるため、洗浄排水に含まれる汚れの量は洗浄回数に依存して減少する。
【００８７】
洗浄液再生手段２０による再生処理を施さなくても汚れが少なく再利用することのできる洗浄排水１７は、汚れの多い洗浄排水１７と分けて回収しておくことで、そのまま再利用することができる。
【００８８】
従って、洗浄排水１７の汚れの程度に応じて分けて回収することによって、洗浄液再生手段２０の使用頻度を抑える事ができるようになり、少ないエネルギーで洗浄液７を再利用することができるようになる。
【００８９】
例えば、集塵部３を洗浄する際に、１回目に噴霧手段９から洗浄液７を噴霧する際に第一の開閉手段１５を開口しなおかつ第二の開閉手段１６を閉口することによって、１回目の洗浄排水１７が第一の洗浄排水貯留槽１３に貯留される。
【００９０】
続いて２回目に噴霧手段９から洗浄液７を噴霧する際に第一の開閉手段１５を閉口し第二の開閉手段１６を開口することによって、２回目の洗浄排水が第二の洗浄排水貯留槽１４に貯留される。
【００９１】
このようにして、第一の洗浄排水貯留槽１３に貯留された洗浄排水１７のみを洗浄液再生手段２０で再生し、第二の洗浄排水貯留槽１４に貯留された洗浄排水１７は洗浄液再生手段２０で処理をせずにそのまま再利用することによって、少ないエネルギーで洗浄液７を再利用することができるようになる。
【００９２】
また、１回の洗浄であったとしても、洗浄時間の前半は第一の開閉手段１５を開口しなおかつ第二の開閉手段１６を閉口し、洗浄の後半は第一の開閉手段１５を閉口し第二の開閉手段１６を開口することによって汚れを多く含んだ洗浄排水１７を第一の洗浄排水貯留槽１３に貯留し、汚れの少ない洗浄排水１７を第二の洗浄排水貯留槽１４に分けて貯留することができるようになる。
【００９３】
例えば洗浄液７としてグリコールエーテルを含有した洗浄液（ファイントップ：クラレ社製）を用いれば、第一の洗浄排水貯留槽１３内に洗浄排水１７が貯留された後、５分程度で油成分と洗浄液成分を２層に層分離させることができる。
【００９４】
２層に層分離させた後に、モーター２１を作動させ洗浄液付着体２２を回転させることによって、下層にある洗浄液が洗浄液付着体２２に付着し上方に引き上げられる。続いて洗浄液付着体２２に付着した洗浄液はかきとり部２３によって洗浄液付着体２２からかきとられ、流れて再生洗浄液貯留槽２４に貯留される。
【００９５】
例えば洗浄液付着体２２としてアクリル製の円板を用い回転させることによって、連続的に洗浄液の付着とかきとりを同じスペースで繰り返し行うことができる。洗浄液付着体２２には塵埃や油などの汚れが付着しないため、回収される再生洗浄液２５は塵埃や油が取り除かれ清浄になる。
【００９６】
また、第一の洗浄排水貯留槽１３内部に蓄積する油や塵埃を排出する排出口を第一の洗浄排水貯留槽１３に備え、定期的に蓄積した汚れ成分を除去しやすくなる構造にすることもできる。
【００９７】
また、一回の洗浄に必要な量の再生洗浄液２５が回収された後に第二のポンプを作動させて洗浄液タンク８に返送することによって再生洗浄液２５の返送を効率的に行うことができ、また、再生洗浄液貯留槽２４は第一の洗浄排水貯留槽１３の上方に位置しているため、洗浄液タンク８により近くなり、再生洗浄液２５の返送に費やす消費エネルギーを抑えることができる。
【００９８】
また、洗浄液タンク８と再生洗浄液貯留槽２４を同一とし、再生洗浄液貯留槽２４から噴霧手段９で噴霧する構成とすることもできる。
【００９９】
このように、洗浄液再生手段２０を設け、ノンリンスタイプの洗浄液を利用することによって、捕集部３を洗浄する際に発生する洗浄排水を著しく減少させることができるようになり、洗浄液は繰り返し再利用されることになるため、ランニングコストも低下し、洗浄排水が大量に発生しないために大型の排水処理設備がなくても使用することができるようになる。
【０１００】
（実施の形態２）
図２は本発明の実施の形態２における洗浄液再生手段２０の構成図である。図２（ａ）は洗浄液再生手段の投影図であり、図２（ｂ）は横面図である。実施の形態１と同一部分は同一符号を附し詳細な説明は省く。
【０１０１】
図２において、洗浄液再生手段２０はモーター２１と洗浄液付着体２２とかきとり部２３とから構成されており、洗浄液付着体２２は回転軸２９によってモーター２１の動力が伝えられる。モーター２１としては例えば定速のＡＣモーター（オリエンタルモーター社製）を用いることができ、洗浄液付着体２２としては例えば、フッ素樹脂コーティングしたステンレス板や、ポリプロピレンやポリカーボネートなどの樹脂で成形された円板を用いることができる。
【０１０２】
かきとり部２３としてはポリプロピレンやポリカーボネートなどの樹脂で成形された直線を持つ板を用いることができる。例えば、洗浄液付着体２２の円板の厚み幅と同じ幅の切れ込みを持つくし型の板をかきとり部２３とし、切れ込みを洗浄液付着体２２にはめ込むことで洗浄液付着体２２の両面に付着した再生洗浄液２５をかきとることができる。
【０１０３】
また、洗浄液付着体２２は同じ回転軸に複数接続し、洗浄液と接する面積を増やすこともでき、再生洗浄液２５の回収速度を高めることができる。
【０１０４】
また、かきとり部２３は再生洗浄液貯留槽２４のほうへ下がるような傾斜角を持って接続されており、かきとり部２３でかきとられた再生洗浄液２５は高低差により流れ、再生洗浄液貯留槽２４に自動的に回収される。回収される再生洗浄液２５には油や塵埃成分が含まれないため、洗浄に繰り返し利用することができるようになる。
【０１０５】
このように、洗浄液付着体２２を円板とし、連続的にかきとる構造にすることによって、洗浄液の再生を簡単に効率良く行うことができるようになり、洗浄液を繰り返し再利用できるようになるので、ランニングコストも低下し、洗浄排水が大量に発生しないために大型の排水処理設備がなくても使用することができるようになる。
【０１０６】
（実施の形態３）
図３は実施の形態３における浮遊粒子状物質除去装置１の洗浄工程を説明するフロー図である。
【０１０７】
集塵部３を洗浄する際、最初の行程（Ｓ１）として送風手段６を停止する。停止方法としては例えば制御手段２８の洗浄開始スイッチを利用することができる。
【０１０８】
次の工程（Ｓ２）として、第一のポンプ１０を作動させ捕集部３に洗浄液７を噴霧し洗浄する。第一のポンプ停止後、次の工程（Ｓ３）として、噴霧された洗浄液７がドレンパン１１を介して第一の洗浄排水貯留槽１３に貯留させる。
【０１０９】
次の工程（Ｓ４）として、第一の洗浄排水貯留槽１３に貯留された洗浄排水１７が、油や塵埃などの汚れ成分と洗浄液成分に層分離するまで静置する。例えばノンリンスタイプの洗浄液としてネオス社製のデタージェント１０００を利用すれば鉱物油成分と３０分程度で層分離させることが可能であり、層分離させることによって洗浄液付着体２２による洗浄液だけを付着させることができるようになる。
【０１１０】
また、洗浄液７として油成分を乳化しやすく分離しにくい洗浄液を使用したとしても、あらかじめ層分離するまでの時間を明らかにしておき、洗浄液再生手段２０を作動させるまでの時間を計測するタイマーを設置することもできる。
【０１１１】
例えば、制御手段２８であるマイコンにあらかじめ静置時間を入力させておくことができる。また、Ｓ３にて洗浄排水１７を貯留させた後、送風手段６を作動させ、空気浄化を再開させる（Ｓ５）。
【０１１２】
また、次の洗浄タイミングの直前に洗浄液再生手段２０を作動さるようにあらかじめマイコンにプログラムを入力することができ、この場合、２層分離した後の上層にある油成分によって、下層の洗浄剤と空気が接触するのが妨げられ、洗浄剤成分の空気酸化による劣化を防止することができるようになり、再生洗浄液２５の再利用回数を増やすことができる。
【０１１３】
次の工程（Ｓ６）として、洗浄液再生手段２０を作動させ、モーター２１による回転によって洗浄液付着体２２を回転させ、付着した再生洗浄液２５を連続してかきとり部２３によってかきとり、洗浄液を再生する。
【０１１４】
次の工程（Ｓ７）として、再生洗浄液２５を再生洗浄液貯留槽２４に貯留させる。洗浄液再生手段２０によって再生される再生洗浄液２５の量が、一回の洗浄に使用する量だけ回収されるまで静置した（Ｓ８）後に、第二のポンプを作動させることによって（Ｓ９）、再生洗浄液２５が回収管２６内を流動していき、最終的に再生洗浄液２５が洗浄液タンク８に回収され再利用することができるようになる。
【０１１５】
また、これらの動作はあらかじめ制御手段２８としてのマイコンにプログラムとして入力してあることが望ましいが、手動で制御することも可能である。
【０１１６】
このように、送風手段６を停止させた後に使用した洗浄液をいったん第一の洗浄排水貯留槽１３に貯留することによって、簡単な構成で使用した洗浄液を再生することができるようになり、捕集部３による空気浄化を直ぐに再開することができるようになる。
【０１１７】
（実施の形態４）
図４は実施の形態４における第一の洗浄排水貯留槽１３の構成図である。図４（ａ）は洗浄液付着体２２と第一の洗浄排水貯留槽１３の位置関係を示した図であり、図４（ｂ）は第一の洗浄排水貯留槽１３に貯留された分離した洗浄液３０と分離した汚れ成分３１を示した図である。実施の形態２と同一部分は同一符号を附し詳細な説明は省く。
【０１１８】
図４において、第一の洗浄排水貯留槽１３の底面は洗浄液付着体２２の円形と相似関係にあり、貯留される分離した洗浄液３０と洗浄液付着体２２が効率よく接触できる。貯留された洗浄排水１７は一定時間後に層分離し、図４（ｂ）のように下層の分離した洗浄液３０と上層の分離した汚れ成分３１に分離する。
【０１１９】
分離した洗浄液３０が洗浄液付着体２２によって回収され減少したとしても、第一の洗浄排水貯留槽１３の底部が洗浄液付着体２２と相似形状をしているため、余すことなく洗浄液付着体に接触でき、第一の洗浄排水貯留槽１３内に残すことなく効率よく洗浄液を再生することができるようになる。
【０１２０】
このように、第一の洗浄排水貯留槽１３の底部の形状を洗浄液付着体２２と相似の円形にすることによって、効率よく洗浄液を再生することができるようになる。
【０１２１】
（実施の形態５）
図５は実施の形態５における第一の洗浄排水貯留槽１３の構成図である。実施の形態４と同一部分は同一符号を附し詳細な説明は省く。
【０１２２】
図５において第一の洗浄排水貯留槽１３は上部が広口になっており、分離した汚れ成分３１の量が多い場合でも汚れ成分の厚さが薄くなり、洗浄液付着体２２に接触する汚れ成分の量が減少するようになる。洗浄液付着体２２に接触する汚れ成分量が少なくなるので、相対的に洗浄液付着体２２に分離した洗浄液３０が付着しやすくなる。
【０１２３】
このように、分離した汚れ成分が多い場合であっても、効率よく洗浄液を再生することができるようになる。
【０１２４】
（実施の形態６）
図６は実施の形態６における第一の洗浄排水貯留槽１３の構成図である。図６（ａ）は洗浄液再生手段の投影図であり、図６（ｂ）は上面図である。実施の形態２と同一部分は同一符号を附し詳細な説明は省く。
【０１２５】
図６において、第一の洗浄排水貯留槽１３は円筒形をしており、壁面は底部を除いて曲線で形成されている。図６（ｂ）の矢印のように、洗浄液付着体２２の回転によって洗浄排水の表面に２つの循環流が発生する。洗浄液付着体２２が洗浄排水１７に漬け込まれる部分に洗浄排水が引き込まれ、洗浄液付着体２２が引き上げられる部分から表面流が排出され循環する。図６のように壁面が曲線で形成されていると、発生する循環流によって壁面に汚れ成分が付着しにくくなり、第一の洗浄排水貯留槽１３内部への汚れ成分の付着を防止することができるようになる。
【０１２６】
このように、第一の洗浄排水貯留槽１３の上部水平断面が曲線のみで構成されていることによって汚れ成分の付着を防止することができ、第一の洗浄排水貯留槽１３内をきれいに保つことができ、長期にわたって再生洗浄液２５の純度を高くすることができるようになる。
【０１２７】
（実施の形態７）
図７は実施の形態７における第一の洗浄排水貯留槽１３の構成図である。実施の形態４と同一部分は同一符号を附し詳細な説明は省く。
【０１２８】
図７において、第一の洗浄排水貯留槽１３の底部は洗浄液付着体２２と相似の円形をしているが、最下部に陥没した沈殿物捕集部３３が設けられている。分離した洗浄液３０に沈殿性の沈殿物３２が混入している場合、沈殿物３２は洗浄液付着体２２の回転によって攪拌され、陥没している沈殿物捕集部３３に沈降し捕集される。
【０１２９】
沈殿物とは、例えば油成分と水中の金属類が塩を形成した不要性の有機物である。一箇所に沈殿物３２が捕集されるので、第一の洗浄排水貯留槽１３内を洗浄する際に、固形物を除去しやすくなりメンテナンスがしやすくなる。
【０１３０】
このように、沈殿物捕集部３３を備えることによって、簡単な構成で第一の洗浄排水貯留槽１３内に沈殿する沈殿物３２を除去しやすくなり、再生洗浄液２５の純度を高めることができるようになる。
【産業上の利用可能性】
【０１３１】
本発明の浮遊粒子状物質除去装置を用いることによって集塵部の洗浄に用いた洗浄液を再生して再利用することができるようになり、洗浄排水の量を減らすことができ、排水の処理コストを低減することができるようになる。また、洗浄排水が大量に発生しないために既存の大きな排水処理設備が必要なくなり、小さな施設であっても浮遊粒子状物質除去装置を導入することができるようになる。また、油煙排気装置など油を取り除く調理機器や産業用機器にも適用できる。
【図面の簡単な説明】
【０１３２】
【図１】本発明の実施の形態１に記載の浮遊粒子状物質除去装置の構成図
【図２】本発明の実施の形態２に記載の洗浄液再生手段の構成図
【図３】本発明の実施の形態３に記載の洗浄液再生動作のフロー図
【図４】本発明の実施の形態４に記載の洗浄排水貯留槽の構成図
【図５】本発明の実施の形態５に記載の洗浄排水貯留槽の構成図
【図６】本発明の実施の形態６に記載の洗浄排水貯留槽の構成図
【図７】本発明の実施の形態７に記載の洗浄排水貯留槽の構成図
【図８】従来の浮遊粒子状物質除去装置の構成図
【符号の説明】
【０１３３】
１        浮遊粒子状物質除去装置
２        筐体
３        集塵部
４        空気流入口
５        空気流出口
６        送風手段
７        洗浄液
８        洗浄液タンク
９        噴霧手段
１０      第一のポンプ
１１      ドレンパン
１２      第一の排水管
１３      第一の洗浄排水貯留槽
１４      第二の洗浄排水貯留槽
１５      第一の開閉手段
１６      第二の開閉手段
１７      洗浄排水
１８      第二の排水管
１９      第三の開閉手段
２０      洗浄液再生手段
２１      モーター
２２      洗浄液付着体
２３      かきとり部
２４      再生洗浄液貯留槽
２５      再生洗浄液
２６      回収管
２７      第二のポンプ
２８      制御手段
２９      回転軸
３０      分離した洗浄液
３１      分離した汚れ成分
３２      沈殿物
３３      沈殿物捕集部
１０１    空気清浄機
１０２    洗浄配管
１０３    汚水配水管
１０４    汚水ピット
１０５ａ  ポンプａ
１０５ｂ  ポンプｂ
１０５ｃ  ポンプｃ
１０６    凝集剤溶解装置
１０７    汚水貯留槽
【図１】
2009160523.tif 000003
【図２】
2009160523.tif 000004
【図３】
2009160523.tif 000005
【図４】
2009160523.tif 000006
【図５】
2009160523.tif 000007
【図６】
2009160523.tif 000008
【図７】
2009160523.tif 000009
【図８】
2009160523.tif 000010